(57)【要約】【課題】  ＡＶコンテンツの視聴者に確実に最新の広告を閲覧させることができ、しかもインターネットに接続できない状況においてもこのＡＶコンテンツの視聴が可能なコンテンツ再生端末を提供すること。【解決手段】  制御部は、通信部を通じた広告の取得に失敗したときに、この広告に対応する未受信フラグを１にセットするとともに、この広告に対応するＡＶコンテンツをＡＶコンテンツ再生部に再生させる。その後、利用者からいずれかのＡＶコンテンツの再生要求を受けたときに、制御部は、自動的にその広告を通信部を通じて取得して広告再生部にこの広告を再生させる。【選択図】  図１
2007060390.tif 000002
【特許請求の範囲】
【請求項１】
少なくともＡＶコンテンツデータ部とアドレスデータ部から構成されるアドレス付きＡＶコンテンツを再生するためのコンテンツ再生端末であって、
前記ＡＶコンテンツデータ部を記憶するためのＡＶコンテンツ記憶部と、
前記アドレスデータ部を記憶するためのアドレス記憶部と、
前記ＡＶコンテンツ記憶部に記憶されているＡＶコンテンツデータ部に基づいて音声または映像を再生するＡＶコンテンツ再生部と、
前記アドレス記憶部に記憶されているアドレスデータ部に対応する広告を広告配信サーバから取得するための通信部と、
前記通信部を通じて取得された広告を再生する広告再生部と、
利用者からの前記アドレス付きＡＶコンテンツの再生要求に応じて、当該アドレス付きＡＶコンテンツに対応するアドレスデータ部が示す広告を前記通信部を通じて取得して前記広告再生部に当該広告を再生させる制御部とを備え、
前記制御部は、前記通信部を通じた広告の取得に失敗したときに、当該広告の取得に失敗した旨を示す未受信広告情報を任意の記憶部に保存するとともに当該広告に対応するＡＶコンテンツデータ部に基づいて前記ＡＶコンテンツ再生部に音声または映像を再生させ、その後、予め定められた未受信広告取得条件が満たされたときに、自動的に当該広告を前記通信部を通じて取得して前記広告再生部に当該広告を再生させることを特徴とする、コンテンツ再生端末。
【請求項２】
前記未受信広告取得条件が、利用者からいずれかのＡＶコンテンツの再生要求を受けることであることを特徴とする、請求項１に記載のコンテンツ再生端末。
【請求項３】
前記未受信広告取得条件が、一定の時間が経過する毎であることを特徴とする、請求項１に記載のコンテンツ再生端末。
【請求項４】
前記未受信広告取得条件が、当該コンテンツ再生端末の電源が投入されたとき、もしくは利用者から何らかの指示が入力されたときであることを特徴とする、請求項１に記載のコンテンツ再生端末。
【請求項５】
当該コンテンツ再生端末が、任意の目的地までの経路案内を行う経路案内モードと、少なくとも前記アドレス付きＡＶコンテンツを視聴するためのコンテンツ視聴モードを含むその他のモードとでその動作モードを切り換え可能であり、
前記未受信広告取得条件が、当該コンテンツ再生端末の動作モードが前記経路案内モードからその他のモードへと切り替わることであることを特徴とする、請求項１に記載のコンテンツ再生端末。
【請求項６】
前記制御部は、前記未受信広告情報に基づいて、前記ＡＶコンテンツ再生部における音声または映像の再生を制限することを特徴とする、請求項１に記載のコンテンツ再生端末。
【請求項７】
前記未受信広告情報には、広告毎に、取得に連続して失敗した回数を示す未受信回数情報が含まれ、
前記制御部は、前記未受信回数情報に基づいて、一定回数以上連続して取得に失敗した広告に対応するＡＶコンテンツデータ部に基づく前記ＡＶコンテンツ再生部における音声または映像の再生を禁止することを特徴とする、請求項６に記載のコンテンツ再生端末。
【請求項８】
少なくともＡＶコンテンツデータ部とアドレスデータ部から構成されるアドレス付きＡＶコンテンツを再生するためのコンテンツ再生プログラムであって、前記ＡＶコンテンツデータ部を記憶するためのＡＶコンテンツ記憶部と、前記アドレスデータ部を記憶するためのアドレス記憶部と、前記ＡＶコンテンツ記憶部に記憶されているＡＶコンテンツデータ部に基づいて音声または映像を再生するＡＶコンテンツ再生部と、前記アドレス記憶部に記憶されているアドレスデータ部に対応する広告を広告配信サーバから取得するための通信部と、前記通信部を通じて取得された広告を再生する広告再生部とを備えた端末装置のコンピュータを、
利用者からの前記アドレス付きＡＶコンテンツの再生要求に応じて、当該アドレス付きＡＶコンテンツに対応するアドレスデータ部が示す広告を前記通信部を通じて取得して前記広告再生部に当該広告を再生させる手段、および
前記通信部を通じた広告の取得に失敗したときに、当該広告の取得に失敗した旨を示す未受信広告情報を任意の記憶部に保存するとともに当該広告に対応するＡＶコンテンツデータ部に基づいて前記ＡＶコンテンツ再生部に音声または映像を再生させ、その後、予め定められた未受信広告取得条件が満たされたときに、自動的に当該広告を前記通信部を通じて取得して前記広告再生部に当該広告を再生させる手段として機能させるためのコンテンツ再生プログラム。
【発明の詳細な説明】
【技術分野】
【０００１】
本発明はコンテンツ再生端末に関し、より特定的には広告付きのＡＶコンテンツを再生するためのコンテンツ再生端末に関する。
【背景技術】
【０００２】
従来、ＡＶコンテンツに広告を付加してユーザに配信し、そのＡＶコンテンツの再生時にユーザに広告を見せることが考えられている。
【０００３】
例えば、特許文献１には、冒頭に広告を含んだ映像や音楽を配信するシステムが記載されている。
【０００４】
また、特許文献２には、ＷｅｂサイトのＵＲＬ（Ｕｎｉｆｏｒｍ  Ｒｅｓｏｕｒｃｅ  Ｌｏｃａｔｏｒ）を埋め込んだ上で暗号化した音楽／映像コンテンツを配信し、ユーザ端末でこの音楽／映像コンテンツの再生が指示されるとユーザ端末がそのＷｅｂサイトに自動的にアクセスし、利用者がそのＷｅｂサイトで広告を閲覧し終えると復号化キーがユーザ端末に送信されてこの音楽／映像コンテンツの視聴が可能になるシステムが開示されている。
【特許文献１】特開２００１−３１９０７７号公報
【特許文献２】特開２００２−７４１６３号公報
【発明の開示】
【発明が解決しようとする課題】
【０００５】
しかしながら、上記の従来技術には以下のような問題点がある。
【０００６】
特許文献１のシステムでは、映像や音楽に埋め込まれた広告は、その映像や音楽が配信された後では更新することが不可能であり、配信されてから時間が経過すると利用者に時代遅れの広告を提供してしまうという問題点がある。
【０００７】
特許文献２のシステムでは、ユーザ端末がインターネットに接続されていることを前提としているため、ユーザ端末がインターネットに接続されていない場合には利用者に広告を閲覧させることができず、利用者も音楽／映像コンテンツを視聴できないという問題点がある。特に携帯端末で音楽や映像を視聴する場合には、たとえその携帯端末が無線ＬＡＮ機能を備えていたとしても、場所によってはインターネットに接続できず、結果として音楽／映像コンテンツを視聴できるエリアが制限されてしまうことになり、利用者にとって不便である。
【０００８】
それゆえに本発明の目的は、ＡＶコンテンツの視聴者に確実に最新の広告を閲覧させることができ、しかもインターネットに接続できない状況においてもこのＡＶコンテンツの視聴が可能なコンテンツ再生端末を提供することである。
【課題を解決するための手段】
【０００９】
上記の課題を解決するために、本発明は以下のように構成される。
【００１０】
本発明のコンテンツ再生端末は、少なくともＡＶコンテンツデータ部とアドレスデータ部から構成されるアドレス付きＡＶコンテンツを再生するためのものであって、前記ＡＶコンテンツデータ部を記憶するためのＡＶコンテンツ記憶部と、前記アドレスデータ部を記憶するためのアドレス記憶部と、前記ＡＶコンテンツ記憶部に記憶されているＡＶコンテンツデータ部に基づいて音声または映像を再生するＡＶコンテンツ再生部と、前記アドレス記憶部に記憶されているアドレスデータ部に対応する広告を広告配信サーバから取得するための通信部と、前記通信部を通じて取得された広告を再生する広告再生部と、利用者からの前記アドレス付きＡＶコンテンツの再生要求に応じて、当該アドレス付きＡＶコンテンツに対応するアドレスデータ部が示す広告を前記通信部を通じて取得して前記広告再生部に当該広告を再生させる制御部とを備えている。そして、前記制御部は、前記通信部を通じた広告の取得に失敗したときに、当該広告の取得に失敗した旨を示す未受信広告情報を任意の記憶部に保存するとともに当該広告に対応するＡＶコンテンツデータ部に基づいて前記ＡＶコンテンツ再生部に音声または映像を再生させ、その後、予め定められた未受信広告取得条件が満たされたときに、自動的に当該広告を前記通信部を通じて取得して前記広告再生部に当該広告を再生させることを特徴とする。
【００１１】
なお、ＡＶコンテンツ記憶部およびアドレス記憶部は、共通の記憶装置によって実現されてもよいし、個別の記憶装置によってそれぞれ実現されてもよい。ＡＶコンテンツ再生部および広告再生部についても、共通の再生装置によって実現されてもよいし、個別の再生装置によってそれぞれ実現されてもよい。また、未受信広告情報は、例として、フラグを用いて保持してもよいしリストの形態で保持してもよい。
【００１２】
なお、ＡＶコンテンツの例として、音楽コンテンツ、映像コンテンツ、プレイリストが挙げられる。
【発明の効果】
【００１３】
本発明によれば、ＡＶコンテンツの視聴者に確実に最新の広告を閲覧させることができ、しかもインターネットに接続できない状況においてもこのＡＶコンテンツの視聴が可能となる。
【発明を実施するための最良の形態】
【００１４】
以下、本発明の一実施形態に係るコンテンツ再生端末について説明する。
【００１５】
図１は、本実施形態に係るコンテンツ再生端末を用いたコンテンツ配信システムの構成を示すブロック図である。このコンテンツ配信システムは、コンテンツ再生端末１０、送受信局２０、ＵＲＬ付きコンテンツ配信サーバ３０および広告配信サーバ４０とで構成される。
【００１６】
コンテンツ再生端末１０は、ＡＶコンテンツ（音楽コンテンツ、映像コンテンツまたはプレイリスト）の再生機能と、送受信局２０との間の無線通信機能を備えており、送受信局２０を通じて「ＵＲＬ付きＡＶコンテンツ」をＵＲＬ付きコンテンツ配信サーバ３０からダウンロードして再生することができる。ここで、「ＵＲＬ付きＡＶコンテンツ」とは、広告用のＵＲＬ情報が埋め込まれたＡＶコンテンツを指す。ＵＲＬ付きＡＶコンテンツのデータフォーマットの一例を図２に示す。図２において、ＵＲＬ付きＡＶコンテンツは、ＵＲＬデータ部とＡＶコンテンツデータ部とで構成される。コンテンツ再生端末１０は、典型的には、車載機器や携帯端末やノートパソコンである。
【００１７】
送受信局２０は、コンテンツ再生端末１０との間の無線通信機能を備えており、コンテンツ再生端末１０はこの送受信局２０を通じてインターネット上のコンピュータにアクセスすることができる。送受信局２０は、典型的には、携帯電話・ＰＨＳの基地局や、無線ＬＡＮのアクセスポイントである。
【００１８】
ＵＲＬ付きコンテンツ配信サーバ３０は、ＵＲＬ付きＡＶコンテンツを複数保持しているサーバコンピュータであり、コンテンツ再生端末１０からの要求に応じて、要求されたＵＲＬ付きＡＶコンテンツをコンテンツ再生端末１０に配信する機能を備えている。
【００１９】
広告配信サーバ４０は、ＡＶコンテンツに付加されたＵＲＬが示す広告コンテンツを保持しているサーバコンピュータであり、コンテンツ再生端末１０において利用者がＡＶコンテンツの再生を指示したときに、このＡＶコンテンツに付加されたＵＲＬが指し示す広告コンテンツをこのコンテンツ再生端末１０に配信する。なお、コンテンツ配信システムには広告配信サーバ４０が複数設けられていてもよい。
【００２０】
送受信局２０、ＵＲＬ付きコンテンツ配信サーバ３０および広告配信サーバ４０については周知の技術により容易に実現し得るため、これらについての詳細な説明は省略し、以下ではコンテンツ再生端末１０の構成および動作について詳細に説明する。
【００２１】
まず、コンテンツ再生端末１０の構成について説明する。
【００２２】
コンテンツ再生端末１０は、図１に示すように、通信部１１、制御部１２、ＡＶコンテンツ記憶部１３、ＡＶコンテンツ再生部１４、ＵＲＬ記憶部１５および広告再生部１６を備えている。
【００２３】
通信部１１は、送受信局２０との間の無線通信機能を提供するものであり、コンテンツ再生端末１０は、この通信部１１を通じてＵＲＬ付きコンテンツ配信サーバ３０および広告配信サーバ４０にアクセス可能である。
【００２４】
制御部１２は、コンテンツ再生端末１０の動作を全体的に制御するものである。制御部１２は、典型的にはコンピュータプログラムに従って動作するプロセッサである。
【００２５】
ＡＶコンテンツ記憶部１３は、ＵＲＬ付きコンテンツ配信サーバ３０からダウンロードされたＵＲＬ付きＡＶコンテンツのうち、図２のＡＶコンテンツデータ部を保存するための記憶領域を提供する。ＡＶコンテンツ記憶部１３は、典型的には、フラッシュメモリやハードディスクである。
【００２６】
ＵＲＬ記憶部１５は、ＵＲＬ付きコンテンツ配信サーバ３０からダウンロードされたＵＲＬ付きＡＶコンテンツのうち、図２のＵＲＬデータ部を保存するための記憶領域を提供する。ＵＲＬ記憶部１５には、ＡＶコンテンツ記憶部１３に保存されている各ＡＶコンテンツに対応するＵＲＬデータがＵＲＬデータリストとして保存される。ＵＲＬ記憶部１５は、典型的には、フラッシュメモリやハードディスクである。
【００２７】
ＡＶコンテンツ再生部１４は、ＡＶコンテンツを再生するものであって、典型的には、スピーカ、液晶パネルおよびこれらの駆動回路から構成される。もちろん、ＡＶコンテンツの種類として例えば音声コンテンツしか想定していない場合には、ＡＶコンテンツ再生部１４としては液晶パネルのような表示装置は不要である。
【００２８】
広告再生部１６は、広告配信サーバ４０より配信される広告を再生するものであって、典型的には、スピーカ、液晶パネルおよびこれらの駆動回路から構成される。もちろん、広告の種類として例えば音声データしか想定していない場合には、広告再生部１６としては液晶パネルのような表示装置は不要である。同様に、広告の種類として例えば静止画像しか想定していない場合には、広告再生部１６としてはスピーカは不要である。
【００２９】
なお、ここではＡＶコンテンツ再生部１４と広告再生部１６を個別の構成としているが、当然ながらこれらを共通の再生部によって実現してもよい。
【００３０】
次に、図３を参照して、ＵＲＬ記憶部１５に保存されるＵＲＬデータリストのデータ構造を説明する。
【００３１】
ＵＲＬ付きコンテンツ配信サーバ３０からダウンロードされたＵＲＬ付きＡＶコンテンツに含まれているＵＲＬデータは、コンテンツ識別子および広告未受信フラグとともにＵＲＬデータリストに登録される。コンテンツ識別子は、そのＵＲＬデータがＡＶコンテンツ記憶部１３に記憶されているいずれのＡＶコンテンツに対応するものかを一意に示す情報である。広告未受信フラグは、そのＵＲＬデータに対応するＡＶコンテンツが再生されたときに、そのＵＲＬデータに対応する広告が正常に取得されたか否かを示す情報である。ここでは、広告未受信フラグの値には、広告が正常に取得されなかった場合には「１」がセットされ、広告が正常に取得された場合には「０」がセットされるものとする。また、広告未受信フラグの初期値は「０」とする。
【００３２】
次に、図４〜図６のフローチャートを参照して、コンテンツ再生端末１０の制御部１２の動作を説明する。
【００３３】
まず図４のフローチャートを参照して、ＡＶコンテンツ取得処理の流れを説明する。ＡＶコンテンツ取得処理は、利用者からの要求に応じて所望のＵＲＬ付きＡＶコンテンツをＵＲＬ付きコンテンツ配信サーバ３０からダウンロードするための処理である。
【００３４】
制御部１２は、利用者からＵＲＬ付きＡＶコンテンツの取得要求を受けると、ステップＳ１１で、そのＵＲＬ付きＡＶコンテンツの配信要求を通信部１１を用いてＵＲＬ付きコンテンツ配信サーバ３０に送信する。
【００３５】
ステップＳ１２では、配信要求したＵＲＬ付きＡＶコンテンツを、通信部１１を用いてＵＲＬ付きコンテンツ配信サーバ３０より受信する。
【００３６】
ステップＳ１３では、受信したＵＲＬ付きＡＶコンテンツのＡＶコンテンツデータ部をＡＶコンテンツ記憶部１３に格納する。
【００３７】
ステップＳ１４では、受信したＵＲＬ付きＡＶコンテンツのＵＲＬデータをＵＲＬ記憶部１５のＵＲＬデータリストに登録する。このとき、このＵＲＬデータに対応するＡＶコンテンツを識別するためのコンテンツ識別子も一緒に登録しておく。
【００３８】
ステップＳ１５では、ステップＳ１４でＵＲＬデータリストに登録したＵＲＬデータに対応する広告未受信フラグに初期値「０」をセットし、こうして制御部１２によるＡＶコンテンツ取得処理が終了する。
【００３９】
次に図５のフローチャートを参照して、ＡＶコンテンツ再生処理の流れを説明する。ＡＶコンテンツ再生処理は、利用者からの要求に応じて所望のＡＶコンテンツを再生するための処理である。
【００４０】
制御部１２は、利用者からＡＶコンテンツ記憶部１３に保存されているいずれかのＡＶコンテンツの再生要求を受けると、このＡＶコンテンツに関する処理（広告取得処理やコンテンツ再生処理）を行う前に、ステップＳ２１で、未受信広告取得・再生処理を実行する。この未受信広告取得・再生処理の詳細については後述する。
【００４１】
ステップＳ２２では、制御部１２は、ＵＲＬ記憶部１５に保持されているＵＲＬデータリストから、利用者から再生要求を受けたＡＶコンテンツに対応するＵＲＬデータを探し出し、このＵＲＬデータに基づいて、このＡＶコンテンツに対応する広告の配信を広告配信サーバ４０に要求する。
【００４２】
ステップＳ２３では、ステップＳ２２で要求した広告を広告配信サーバ４０から正常に受信したかどうかを判断し、要求した広告を正常に受信した場合にはステップＳ２４に処理が進み、要求した広告を正常に受信できなかった場合にはステップＳ２６に処理が進む。
【００４３】
ステップＳ２４では、ＵＲＬ記憶部１５が保持しているＵＲＬデータリストにおいて、受信した広告に対応する広告未受信フラグを０にセットする。
【００４４】
ステップＳ２５では、受信した広告、すなわち利用者から再生要求を受けたＡＶコンテンツに関連付けられた広告を広告再生部１６を用いて再生する。そして広告の再生が終了するとステップＳ２７に処理が進む。
【００４５】
一方、ステップＳ２６では、ＵＲＬ記憶部１５が保持しているＵＲＬデータリストにおいて、受信に失敗した広告に対応する広告未受信フラグを１にセットする。そして広告の再生が行われることなくステップＳ２７に処理が進む。
【００４６】
ステップＳ２７では、利用者から再生要求を受けたＡＶコンテンツをＡＶコンテンツ再生部１４を用いて再生し、こうして制御部１２によるＡＶコンテンツ再生処理が終了する。
【００４７】
以上のように、利用者があるＵＲＬ付きＡＶコンテンツを再生しようとしたときに、広告配信サーバ４０との通信に成功した場合にはそのＵＲＬ付きＡＶコンテンツに対応する広告が再生されてからＡＶコンテンツが再生され、広告配信サーバ４０との通信に失敗した場合にはそのＵＲＬ付きＡＶコンテンツに対応する広告が再生されることなしにＡＶコンテンツが再生される。したがって、利用者は、広告配信サーバ４０と通信可能な状況か否かに関わらず、好きなときに好きな場所でＡＶコンテンツを視聴することができる。
【００４８】
なお、対応する広告が再生されることなしにＡＶコンテンツが再生された場合には、図５のステップＳ２６においてそのＡＶコンテンツに対応する広告未受信フラグが１にセットされる。図５のステップＳ２１の未受信広告取得・再生処理は、以前に対応するＡＶコンテンツが再生されたにも関わらずそのときに受信に失敗したような広告が存在するかどうかを広告未受信フラグに基づいて判定し、そのような広告を広告配信サーバ４０から取得して再生するための処理である。以下、図６のフローチャートを参照して、この未受信広告取得・再生処理の流れを説明する。
【００４９】
ステップＳ３１では、制御部１２は、ＵＲＬ記憶部１５が保持しているＵＲＬデータリストから一つのＵＲＬデータを順次選択する。このステップＳ３１で制御部１２が選択するＵＲＬデータの順番は任意であり、例えばＵＲＬデータリストに登録された時刻が古いものから順番にＵＲＬデータが選択される。
【００５０】
ステップＳ３２では、ステップＳ３１で選択されたＵＲＬデータに対応する広告未受信フラグが１かどうかを判断する。そして、その広告未受信フラグが１である場合にはステップＳ３３に処理が進み、０である場合にはステップＳ３７に処理が進む。
【００５１】
ステップＳ３３では、ステップＳ３１で選択されたＵＲＬデータに基づいて、このＵＲＬデータが指し示す広告を広告配信サーバ４０に要求する。
【００５２】
ステップＳ３４では、ステップＳ３３で要求した広告を広告配信サーバ４０から正常に受信したかどうかを判断し、要求した広告を正常に受信した場合にはステップＳ３５に処理が進み、要求した広告を正常に受信できなかった場合にはステップＳ３７に処理が進む。
【００５３】
ステップＳ３５では、ＵＲＬ記憶部１５が保持しているＵＲＬデータリストにおいて、受信した広告に対応する広告未受信フラグを０にセットする。
【００５４】
ステップＳ３６では、受信した広告、すなわち以前に対応するＡＶコンテンツが再生されたにも関わらずそのときに受信に失敗した広告を広告再生部１６を用いて再生する。そして広告の再生が終了するとステップＳ３７に処理が進む。
【００５５】
ステップＳ３７では、ＵＲＬ記憶部１５が保持しているＵＲＬデータリストにおいて、まだステップＳ３１で選択されていないＵＲＬデータが存在するかどうかを判断する。そして、そのようなＵＲＬデータがＵＲＬデータリストにまだ存在する場合にはステップＳ３１に処理が戻り、そのようなＵＲＬデータがＵＲＬデータリストにもう存在しない場合には制御部１２による未受信広告取得・再生処理が終了し、図５のステップＳ２２に処理が進む。
【００５６】
以上のように、本実施の形態では、利用者からいずれかのＡＶコンテンツの再生要求を受けたときに、制御部１２は、対応する広告未受信フラグが１となっているＵＲＬデータが指し示す広告（すなわち、以前に、対応するＡＶコンテンツが再生されたにも関わらずそのときに受信に失敗したような広告）が存在する場合に、利用者が再生要求したＡＶコンテンツの再生を行う前に、そのような広告を広告配信サーバ４０から取得して再生する。したがって、コンテンツ再生端末１０と送受信局２０とが通信不可能な状況においてＵＲＬ付きＡＶコンテンツが再生された場合にも、そのＵＲＬ付きＡＶコンテンツに対応する広告を、その後、利用者によっていずれかのＡＶコンテンツの再生を要求されたときに利用者に提示することができ、利用者に対して確実に広告を提示することが可能となる。
【００５７】
なお、本実施の形態では、広告未受信フラグが１となっているＵＲＬデータが指し示す広告の取得および再生を、利用者がいずれかのＡＶコンテンツの再生を指示した時点で行う例を説明したが、本発明はこれに限らない。以下では、広告未受信フラグが１となっているＵＲＬデータが指し示す広告の取得および再生を行うための条件（以下、単に未受信広告取得条件と称す）のバリエーションについて説明する。
【００５８】
未受信広告取得条件の第１のバリエーションは、上記で説明したように、利用者がいずれかのＡＶコンテンツ（ＵＲＬ付きＡＶコンテンツに限らず、任意のＡＶコンテンツであってもよい）の再生を指示したときである。この未受信広告取得条件によれば、利用者がＡＶコンテンツを視聴しようとしているとき（すなわち利用者が音声や映像に注意を払うことができる状況のとき）に未再生の広告を提示することができるので、利用者に広告を効果的に提示することができる。
【００５９】
未受信広告取得条件の第２のバリエーションは、一定の時間が経過する毎（例えば数分おき）である。この未受信広告取得条件によれば、ＡＶコンテンツ再生端末１０が広告配信サーバ４０にアクセス可能となった時点で未再生の広告を利用者に提示することができるので、利用者に未再生の広告をできるだけ早く提示することできる。
【００６０】
未受信広告取得条件の第３のバリエーションは、コンテンツ再生端末１０の電源が投入されたときや、コンテンツ再生端末１０に対して利用者から何らかの指示が入力されたときである。この未受信広告取得条件によれば、利用者がコンテンツ再生端末１０の側にいることが保証されるので、利用者に広告を効果的に提示することができる。例えば、未受信広告取得条件を、利用者からＵＲＬ付きＡＶコンテンツの取得要求（すなわちＵＲＬ付きコンテンツ配信サーバ３０から所望のＵＲＬ付きコンテンツをダウンロードする指示）を受けたとき、としてもよい。
【００６１】
未受信広告取得条件の第４のバリエーションは、コンテンツ再生端末１０がカーナビゲーション装置として実現される場合において、目的地までの経路案内を行うためのモードから、その他のモード（例えばＴＶを視聴するモード）へと動作モードが切り替わった時点である。この未受信広告取得条件によれば、経路案内モードの途中で未再生の広告が利用者に提示されてしまうことがないので、カーナビゲーション装置としての利便性を損なうことなく利用者に広告を提示することができる。
【００６２】
なお、本実施形態では、以前に対応するＡＶコンテンツが再生されたにも関わらずそのときに受信に失敗したような広告を、広告未受信フラグによって判別する例について説明したが、本発明はこれに限らない。例えば、コンテンツ再生端末に設けられた任意の記憶部に未受信広告リストを保存しておき、ＡＶコンテンツが再生されたにも関わらずそのときに受信に失敗したような広告のＵＲＬデータを未受信広告リストに順次登録するようにしてもよい。この場合、制御部は、未受信広告取得・再生処理において、この未受信広告リストに登録されているＵＲＬデータを順次選択して広告の取得・再生を行う。未受信広告リストの一例を図７に示す。
【００６３】
なお、本発明の他の実施形態として、広告未受信フラグが１となっているようなＵＲＬデータに対応するＡＶコンテンツの再生要求を利用者から受けた場合に、制御部１２がＡＶコンテンツ再生部１４によるこのＡＶコンテンツの再生を禁止し、必要に応じて利用者に、そのＡＶコンテンツを再生するためには広告配信サーバへの接続が必要である旨のメッセージを通知するようにしてもよい。これにより、利用者が広告配信サーバへ接続することなく（つまり広告を閲覧することなく）ＵＲＬ付きＡＶコンテンツを何度も繰り返し閲覧することを防止することができる。ただし、もちろんこの場合においても、広告配信サーバとの通信が不可能な状況でも利用者は最初の１回だけはＡＶコンテンツを視聴することができるので、利用者にとっての利便性も確保される。
【００６４】
また、さらなる変形例として、広告未受信フラグの代わりに、各ＵＲＬデータ毎に、そのＵＲＬデータに対応するＡＶコンテンツが再生されたにも関わらず、対応する広告が連続して正常に受信できなかった回数を広告未受信回数として保持するようにしてもよい。この場合のＵＲＬデータリストの一例を図８に示す。広告が連続して正常に受信できなかった回数をカウントするために、制御部１２は、図５のステップＳ２６において、受信できなかった広告に対応する広告未受信フラグを１にセットする代わりに、その広告に対応する広告未受信回数をインクリメントする。また、図５のステップＳ２４においては、受信した広告に対応する広告未受信フラグを０にセットする代わりに、その広告に対応する広告未受信回数を０にリセットする。制御部１２は、この広告未受信回数を利用して、一定回数（例えば３回）以上ＡＶコンテンツが再生されたにも関わらず、その間に一度も対応する広告の取得に失敗したＡＶコンテンツについてはＡＶコンテンツ再生部１４によるこのＡＶコンテンツの再生を禁止するようにしてもよい。これにより、広告を受信しなくても利用者は３回まではＡＶコンテンツを視聴することができるので、利用者にとっての利便性も確保される。
【００６５】
なお、前述した実施形態では、ＵＲＬ付きＡＶコンテンツをＵＲＬ付きコンテンツ配信サーバ３０からダウンロードする例について説明したが、本発明はこれに限らず、ＣＤ−ＲＯＭ等の記憶媒体を用いてコンテンツ再生端末１０にＵＲＬ付きＡＶコンテンツが供給されてもよい。
【００６６】
また、本発明は、広告配信サーバ４０とコンテンツ再生端末１０とがインターネットを介して接続される場合に限定されず、広告配信サーバ４０とコンテンツ再生端末１０とが任意のネットワーク（例えばコンテンツ再生端末専用のネットワークなど）を介して接続されてもよい。
【００６７】
また、ＡＶコンテンツに付加される、広告の場所を示すアドレス情報としてはＵＲＬに限らず、任意のアドレス情報を用いることができる。  
【００６８】
また、本発明は、ノートパソコンのような汎用コンピュータにも適用することが可能である。この場合、汎用コンピュータのＣＰＵに図４〜図６のフローチャートが示す処理を実行させるためのコンテンツ再生プログラムを通信回線やコンピュータ読み取り可能な記憶媒体を通じてこの汎用コンピュータに供給すればよい。
【産業上の利用可能性】
【００６９】
本発明は、例えばＵＲＬ付きＡＶコンテンツを携帯端末を用いて視聴する用途に好適である。
【図面の簡単な説明】
【００７０】
【図１】本発明の一実施形態に係るコンテンツ配信システムの構成を示すブロック図
【図２】ＵＲＬ付きＡＶコンテンツのデータフォーマットの一例
【図３】ＵＲＬデータリストの一例
【図４】ＡＶコンテンツ取得処理の流れを示すフローチャート
【図５】ＡＶコンテンツ再生処理の流れを示すフローチャート
【図６】未受信広告取得・再生処理の流れを示すフローチャート
【図７】未受信広告リストの一例
【図８】ＵＲＬデータリストの他の例
【符号の説明】
【００７１】
１０  コンテンツ再生端末
１１  通信部
１２  制御部
１３  ＡＶコンテンツ記憶部
１４  ＡＶコンテンツ再生部
１５  ＵＲＬ記憶部
１６  広告再生部
２０  送受信局
３０  ＵＲＬ付きコンテンツ配信サーバ
４０  広告配信サーバ
【図１】
2007060390.tif 000003
【図２】
2007060390.tif 000004
【図３】
2007060390.tif 000005
【図４】
2007060390.tif 000006
【図５】
2007060390.tif 000007
【図６】
2007060390.tif 000008
【図７】
2007060390.tif 000009
【図８】
2007060390.tif 000010